(57)【特許請求の範囲】
【請求項１】
外形が長方体形状に形成され、上面が開口されている籠本体の上縁に、その長手方向のほぼ全長にわたって形成される把持部を有する取っ手を回動可能に取り付け、かつ、前記把持部にＳ字状のフックを取り付けて籠本体をベビーカー等に吊下してなることを特徴とする買い物籠。
【発明の詳細な説明】
【技術分野】
【０００１】ス−パ−マ−ケット等を利用する際、とくにベビ−カ−、車椅子またはシルバ−カ−で用いるに適する買い物籠に関する。
【背景技術】
【０００２】一般にス−パ−マ−ケットなどの小売店には顧客が購入する商品をレジまでに運ぶための買い物籠が設置されている。【０００３】従来、これらのス−パ−マ−ケット等で置かれている籠は手に持って店内へ、または、各店舗専用の籠を載せることができるカ−トを利用して店内に入り、商品を選びレジまで運ぶ仕組みになっている。【０００４】しかし乳幼児を抱いたり、幼児を乗せたベビ−カ−を用いたり、車椅子利用者を乗せた車椅子を利用する場合、籠を水平状態で安定して用いることができず不便さが生じることがしばしば見られた。【０００５】ス−パ−マ−ケットに設置されている買い物籠は長方形が一般的で長さの短い側に持ち手となる取っ手が付いているので、このような籠はベビ−カ−や車椅子等に引っ掛けて利用すると籠が大きく傾き易かった。【０００６】またベビ−カ−を押す者は、片手で押して片手で籠を手に持った状態で買い物をすることになり、その際、品物を棚から取り出す度に籠を床に置いたり、ベビ−カ−を押す手を離すことになり易い。【０００７】車椅子は重量もあり、介護者が片手で押して片手で籠を持って店内を回るのは、とても大変で車椅子に座っている利用者が膝の上に籠を置くことが多く、無理な載せ方になる場合がみられた。【０００８】ベビ−カ−を押す者の中には籠を持つことなく商品を幼児の回りに置くなどしてレジまで運び並ぶ状態は顧客にとって負担となる。【０００９】シルバ−カ−は荷物等を手に持ったりすることができない高齢者が多く利用し、その形状や大きさは多種多様で、店舗にシルバ−カ−で来た顧客の多くは店内の隅に置いたり、入口付近に置いたりと、目から離れた場所に置き、店に設置のカ−トを使い店内へ入って買い物をするが、その間、盗難の恐れがあった。
【発明が解決しようとする課題】
【００１０】本発明はス−パ−マ−ケット等でベビ−カ−やシルバ−カ−あるいは車椅子利用者の車椅子等を利用している顧客でも商品の持ち運びに不便さを感じることなく安全かつ容易に店内を回ることができる買い物籠を提供することを目的とする。
【課題を解決するための手段】
【００１１】本発明に係る買い物籠は外形が長方体形状に形成され、上面が開口されている籠本体の上縁にその長手方向のほぼ全長にわたって形成される把持部を有する取っ手を回動可能に取り付けることを特徴とするものである。
【発明の効果】
【００１２】籠本体の上縁に回動可能に取り付けられている取っ手はその把持部を長手方向の籠本体の上縁に沿って、ほぼ全長にわたって取り付け、取付部は籠本体の側面の短手方向に取り付けつことにより、ベビ−カ−、車椅子、シルバ−カ−等の押し手部分に引っ掛けた際にも傾くことがなく安定した水平状態が保たれ籠本体収納部への商品の出し入れが容易となり、レジまで安全に運ぶことができる。
【００１３】買い物をする際、ベビ−カ−あるいはシルバ−カ−を片手で支え買い物籠をもう一方の手で持ったり、あるいは入口付近に置いたりするわずらわしさがなく、買い物籠を安定した状態で取り付けられ、そのまま店内に持ち込め安心して併用することができる。
【図面の簡単な説明】
【図１】本発明に係る買い物籠を示す斜視図である。
【図２】シルバ−カ−に買い物籠を取り付けた正面状態を示す斜視図である。
【図３】同じく、そのシルバ−カ−に買い物籠を取り付けた側面状態を示す斜視図である。
【図４】ベビ−カ−に買い物籠を取り付けた平面状態を示す斜視図である。
【図５】同じく、そのベビ−カ−に買い物籠を取り付けた側面状態を示す斜視図である。
【図６】車椅子に買い物籠を取り付けた平面状態を示す斜視図である。
【図７】同じく、その車椅子に買い物籠を取り付けた側面状態を示す斜視図である。
【発明を実施するための形態】
【００１４】本発明の実施の形態を図１ないし図７に基づいて説明する。ここで図１は本発明に係る買い物籠の籠本体１の上縁に取り付けられた取っ手３を回動して上方に対峙させた状態を示す斜視図である。図２は一例としてフック６を利用してシルバ−カ−７に買い物籠を取り付けた状態を示す斜視図であり、図３は顧客が利用する図２を横から見た斜視図である。図４は一例としてフック６を利用してベビ−カ−８に買い物籠を取り付けた状態を示す斜視図であり、図５は顧客が利用する図４を横から見た斜視図である。図６は一例としてフック６を利用して車椅子９に買い物籠を取り付けた状態を示す斜視図であり、図７は顧客が利用する図６を横から見た斜視図である。
【００１５】本発明に係る買い物籠は長方形状の籠本体１と、この籠本体１の相対する上縁部の長手方向のほぼ全長にわたって形成される把持部４を取付部５・５を介して上方向に回動可能に対峙して取り付けられる２本の取っ手３・３から形成されている。
【００１６】前記籠本体１は図１に示すように、主としてプラスチックを用いて平面視長方形状の筺体からなり上面を開放状として、内部を商品等の収納部２とし、その側壁は網目状または筋目状として商品が外部から目視されるものである。
【００１７】籠本体１に回動可能に取り付けられる略コ字状の２本の取っ手３・３は直線状の把持部４と、この把持部４に対し、略直角状に折曲された取付部５よりなり、図１に示すように直線状の把持部は籠本体１の長手方向に沿って、ほぼ全長にわたって長く形成され、把持部４の両端側に取付部５が形成され短手方向の側壁の上縁部において回動可能に取り付けられている。
【００１８】２本の並列状に対峙して取り付けられる取っ手３・３は籠本体１の短手方向、上縁部において２つの取付部５・５は７ｃｍ程度の間隔を開けて取り付けることによって上方向に回動して使用に供するとき安定状態を保つことができる。
【００１９】本発明に係る買い物籠をシルバ−カ−７に取り付けるには、図２に示すようにシルバ−カ−７の押し手部１０にＳ字状のフック６を介して籠本体１に設けられた取っ手の把持部４を引っ掛けるが、その際、商品を入れてもバランスが崩れない為にも、図３に示すように籠本体１を前側に掛けることが望ましい。
【００２０】また、図３に示すように、前側に籠本体１の取っ手３を引っ掛けて、そのまま店内を回ることが可能になることによって、入口付近にシルバ−カ−７を置いて店内に入る状況がなくなり、安心かつ安全に買い物ができる。
【００２１】次に本発明に係る買い物籠をベビ−カ−８へ取り付けるには図４に示すように、ベビ−カ−８の押し手部１０にＳ字状のフック６を１〜２個を用いて籠本体１に取りつけられた取っ手３を引っ掛け吊り下げた状態で保持される。
【００２２】また図５のように押す者とベビ−カ−８の押し手部１０の間に籠本体１を引っ掛けるため両手でベビ−カ−８を押すことが可能になり、棚から商品を取り出す際も、その度、買い物籠を下に置いたり、ベビ−カ−８を押す側の手を離さないで店内を回ることが可能になる。
【００２３】次に車椅子９においても買い物籠を押し手部１０に直接引っ掛け取り付けたり、車椅子９の押し手両側にベビ−カ−８やシルバ−カ−７と同様、Ｓ字状フック６を介して１〜２個用いて籠本体１に取り付けられた取っ手の把持部４を吊り下げることにより、安定した状態で商品をレジまで選ぶことが可能となる。このことにより、利用者に負担をかけることなく店内を回ることができる。
【符号の説明】  １    …  籠本体
２    …  本体収納部
３    …  取っ手
４    …  取っ手３の把持部
５    …  取っ手３の取付部
６    …  Ｓ字状フック
７    …  シルバ−カ−
８    …  ベビ−カ−
９    …  車椅子
１０    …  シルバ−カ−７、ベビ−カ−８、および車椅子９の押し手部
【図１】
0005947344.tif 000002
【図２】
0005947344.tif 000003
【図３】
0005947344.tif 000004
【図４】
0005947344.tif 000005
【図５】
0005947344.tif 000006
【図６】
0005947344.tif 000007
【図７】
0005947344.tif 000008